(57)【要約】【課題】前面扉の交換を行う際の作業を容易にすることで、作業者の負担を軽減させる。【解決手段】キーシリンダ２０にキースイッチ８５を設ける。キーシリンダ２０に解錠キー２２を差し込むと、キーシリンダ２０のシリンダ部７５に入り込んだピン８６の挿入部８６ｂが押圧され、コイルバネ８７の付勢に抗して移動する。このピン８６の移動時にピン８６の押圧部８６ｃが第１接触端子８８を押圧し、第１接触端子８８と第２接触端子８９とを接触させる。第１接触端子８８と第２接触端子８９とが接触することでキースイッチ８５がオンと状態となるので、遊技制御装置は、ランプ制御装置や音声制御装置に給電停止信号を出力する。これにより、上部扉に組み付けられる電飾基板や、スピーカへの給電の停止や、演出開始信号の出力が規制される。【選択図】図７
2008000412.tif 000002
【特許請求の範囲】
【請求項１】
遊技を制御する遊技制御装置が組み付けられた遊技機本体と、
前記遊技機本体に回動自在に組み付けられ、前記遊技制御装置と電気的に接続される電気回路基板を備えた前面扉と、
前記前面扉を前記遊技機本体の前面を被覆する閉じ位置へと回動させた場合に、前記前面扉を閉じ位置に保持する施錠装置と、を備えた遊技機において、
前記遊技機本体は、前記遊技制御装置からの導線が接続される本体側コネクタを備え、
前記前面扉は、前記電気回路基板からの導線が接続され、該前面扉が閉じ位置へ回動したときに前記本体側コネクタと嵌合される扉側コネクタを備え、
前記施錠装置は、前記前面扉の施錠を解除する解錠キーが挿入されるキーシリンダと、前記キーシリンダに前記解錠キーが挿入されたことを検知する挿入検知手段と、を有しており、
前記遊技制御装置に、前記挿入検知手段によって前記解錠キーが挿入されたことが検知された場合に、前記電気回路基板への電気的送信を停止する送信停止手段を備えたことを特徴とする遊技機。
【請求項２】
遊技を制御する遊技制御装置が組み付けられた遊技機本体と、
前記遊技機本体に回動自在に組み付けられ、前記遊技制御装置と電気的に接続される電気回路基板を備えた前面扉と、
前記前面扉を前記遊技機本体の前面を被覆する閉じ位置へと回動させた場合に、前記前面扉を閉じ位置に保持する施錠装置と、を備えた遊技機において、
前記遊技機本体は、前記遊技制御装置からの導線が接続される本体側コネクタを備え、
前記前面扉は、前記電気回路基板からの導線が接続され、該前面扉が閉じ位置へ移動したときに前記本体側コネクタと嵌合される扉側コネクタを備え、
前記施錠装置は、前記前面扉に係止することで該前面扉を閉じ位置に保持する保持部と、前記前面扉の施錠を解除する解錠キーの回転を前記保持部に伝達することで、前記保持部による前記前面扉の施錠を解除させる伝達部材を備えたキーシリンダと、前記解錠キーの回転を検知する回転検知手段と、を有しており、
前記遊技制御装置は、前記解錠キーの解除動作時における該解錠キーの回転が前記回転検知手段によって検知された場合に、前記電気回路基板への電気的送信を停止する送信停止手段を備えたことを特徴とする遊技機。
【発明の詳細な説明】
【技術分野】
【０００１】
本発明は、パチンコ店などの遊技場に設置される、例えばパチンコ機などの遊技機に関するものである。
【背景技術】
【０００２】
パチンコ店などの遊技場に設置される遊技機としてパチンコ機が挙げられる。このパチンコ機は、遊技領域が形成された遊技盤や、該遊技領域を視認可能とする窓を備えた前面扉が、その基体となる本体部材に対して着脱自在に組み付けられている。例えば遊技盤には、その前面からレール飾り板が、その後面からパチンコ機の遊技における制御を行う遊技制御装置や、図柄の可変表示及び図柄の停止表示が行われる図柄表示装置などが保持される保持板がそれぞれ組み付けられている。
【０００３】
このような遊技盤の遊技領域には、上述した図柄表示装置の表示画面が露呈されるセンター役物と呼ばれる構造物や、入賞チャッカー等の入賞装置や、始動チャッカー、アタッカなどの可動入賞装置などが設けられている。また、センター役物や飾りなどの構造物内にはＬＥＤやランプなどの光源が内蔵されており、これら光源の点灯・消灯などによって、構造物が所定のパターンによって発光表示される。また、前面扉には、報知音や演出音を再生するスピーカや、内部に光源が組み込まれた発光部を備えて構成されており、例えば上述したセンター役物や飾りの発光表示と連動した演出音の再生や、発光部の発光が行われるようになっている。例えば前面扉にスピーカや光源を配置した場合、これら部材に給電を行う、或いはこれら部材を作動させる回路基板が前面扉に組み付けられており、この回路基板が、ハーネスを介して、本体部材、或いは遊技盤に組み付けられた制御装置（基板）と電気的に接続されている（例えば特許文献１、２等）。
【特許文献１】特開２００３−８８６６０号公報
【特許文献２】特開２００５−２８７９０２号公報
【発明の開示】
【発明が解決しようとする課題】
【０００４】
しかしながら、このように前面扉に組み付けられる回路基板と、本体部材或いは遊技盤に組み付けられる制御装置とをハーネス等により接続した場合、例えば前面扉に組み付けられたスピーカ、光源、或いは回路基板の不具合等により、不具合となる部材、或いは前面扉ごと交換を行う必要があるときには、例えば本体部材の裏面に設けられた電源スイッチをオフにした後で、上述したハーネスによる回路基板と制御装置との接続を解除する必要があり、また、交換した後には、ハーネスによる回路基板と制御装置との接続を行った後に電源スイッチをオンにする必要があるため、交換作業を行う作業者に面倒であり、作業時の負担が大きいという欠点がある。
【０００５】
本発明は、上記課題を解決するためになされたものであり、前面扉の交換を行う際の作業を容易にすることで、作業者の負担を軽減させることができるようにした遊技機を提供することを目的とする。
【課題を解決するための手段】
【０００６】
上記目的を達成するために、本発明の遊技機は、遊技を制御する遊技制御装置が組み付けられた遊技機本体と、前記遊技機本体に回動自在に組み付けられ、前記遊技制御装置と電気的に接続される電気回路基板を備えた前面扉と、前記前面扉を前記遊技機本体の前面を被覆する閉じ位置へと回動させた場合に、前記前面扉を閉じ位置に保持する施錠装置と、を備えた遊技機において、前記遊技機本体は、前記遊技制御装置からの導線が接続され本体側コネクタを備え、前記前面扉は、前記電気回路基板からの導線が接続され、該前面扉が閉じ位置へ回動したときに前記本体側コネクタと嵌合される扉側コネクタを備え、前記施錠装置は、前記前面扉の施錠を解除する解錠キーが挿入されるキーシリンダと、前記キーシリンダに前記解錠キーが挿入されたことを検知する挿入検知手段と、を有しており、前記遊技制御装置に、前記挿入検知手段によって前記解錠キーが挿入されたことが検知された場合に、前記電気回路基板への電気的送信を停止する送信停止手段を備えたことを特徴とする。なお、遊技制御装置からの導線や電気回路基板からの導線としては、直接電気回路基板に接続される導線の他に、他の回路制御部品からの導線が他のコネクタを介して接続される導線も含むものである。
【０００７】
また、本発明の遊技機は、遊技を制御する遊技制御装置が組み付けられた遊技機本体と、前記遊技機本体に回動自在に組み付けられ、前記遊技制御装置と電気的に接続される電気回路基板を備えた前面扉と、前記前面扉を前記遊技機本体の前面を被覆する閉じ位置へと回動させた場合に、前記前面扉を閉じ位置に保持する施錠装置と、を備えた遊技機において、前記遊技機本体は、前記遊技制御装置からの導線が接続される本体側コネクタを備え、前記前面扉は、前記電気回路基板からの導線が接続され、該前面扉が閉じ位置へ移動したときに前記本体側コネクタと嵌合される扉側コネクタを備え、前記施錠装置は、前記前面扉に係止することで該前面扉を閉じ位置に保持する保持部と、前記前面扉の施錠を解除する解錠キーの回転を前記保持部に伝達することで、前記保持部による前記前面扉の施錠を解除させる伝達部材を備えたキーシリンダと、前記解錠キーの回転を検知する回転検知手段と、を有しており、前記遊技制御装置は、前記解錠キーの解除動作時における該解錠キーの回転が前記回転検知手段によって検知された場合に、前記電気回路基板への電気的送信を停止する送信停止手段を備えたことを特徴とする。
【発明の効果】
【０００８】
本発明の遊技機によれば、遊技を制御する遊技制御装置が組み付けられた遊技機本体と、前記遊技機本体に回動自在に組み付けられ、前記遊技制御装置と電気的に接続される電気回路基板を備えた前面扉と、前記前面扉を前記遊技機本体の前面を被覆する閉じ位置へと回動させた場合に、前記前面扉を閉じ位置に保持する施錠装置と、を備えた遊技機において、前記遊技機本体は、前記遊技制御装置からの導線が接続される本体側コネクタを備え、前記前面扉は、前記電気回路基板からの導線が接続され、該前面扉が閉じ位置へ回動したときに前記本体側コネクタと嵌合される扉側コネクタを備え、前記施錠装置は、前記前面扉の施錠を解除する解錠キーが挿入されるキーシリンダと、前記キーシリンダに前記解錠キーが挿入されたことを検知する挿入検知手段と、を有しており、前記遊技制御装置に、前記挿入検知手段によって前記解錠キーが挿入されたことが検知された場合に、前記電気回路基板への電気的送信を停止する送信停止手段を備えたから、例えば、電気回路基板への電気的送信を停止することとして給電を停止する場合には、従来では前面扉を交換する前に、主電源である電源スイッチをオフにする必要があったが、本発明では、前面扉を開放する際の解錠キーを挿入したときに、前面扉に設けられる電気回路基板への給電が停止されることになるから、電源スイッチをオフにする必要がなく、前面扉の交換時の作業を容易にすることができる。また、前面扉の開放で本体側コネクタと扉側コネクタとの嵌合が解除され、また、前面扉を閉じることで本体側コネクタと扉側コネクタとが嵌合されるので、前面扉の交換作業を容易にすることが可能となる。
【０００９】
また、本発明の遊技機は、遊技を制御する遊技制御装置が組み付けられた遊技機本体と、前記遊技機本体に回動自在に組み付けられ、前記遊技制御装置と電気的に接続される電気回路基板を備えた前面扉と、前記前面扉を前記遊技機本体の前面を被覆する閉じ位置へと回動させた場合に、前記前面扉を閉じ位置に保持する施錠装置と、を備えた遊技機において、前記遊技機本体は、前記遊技制御装置からの導線が接続される本体側コネクタを備え、前記前面扉は、前記電気回路基板からの導線が接続され、該前面扉が閉じ位置へ移動したときに前記本体側コネクタと嵌合される扉側コネクタを備え、前記施錠装置は、前記前面扉に係止することで該前面扉を閉じ位置に保持する保持部と、前記前面扉の施錠を解除する解錠キーの回転を前記保持部に伝達することで、前記保持部による前記前面扉の施錠を解除させる伝達部材を備えたキーシリンダと、前記解錠キーの回転を検知する回転検知手段と、を有しており、前記遊技制御装置は、前記解錠キーの解除動作時における該解錠キーの回転が前記回転検知手段によって検知された場合に、前記電気回路基板への電気的送信を停止する送信停止手段を備えたから、例えば、電気回路基板への電気的送信を停止することとして給電を停止する場合には、従来では前面扉を交換する前に、主電源である電源スイッチをオフにする必要があったが、本発明では、前面扉を開放する際の解錠キーを挿入したときに、前面扉に設けられる電気回路基板への給電が停止されることになるから、電源スイッチをオフにする必要がなく、前面扉の交換時の作業を容易にすることができる。また、前面扉の開放で本体側コネクタと扉側コネクタとの嵌合が解除され、また、前面扉を閉じることで本体側コネクタと扉側コネクタとが嵌合されるので、前面扉の交換作業を容易にすることが可能となる。
【発明を実施するための最良の形態】
【００１０】
図１に、本発明を用いたパチンコ機の外観を示す。このパチンコ機（遊技機）２は、基体となる本体部材（遊技機本体）３に、上部扉４及び下部扉５からなる２枚の前面扉６が本体部材３に対して回動自在となるように、図示しないヒンジ部を介して組み付けられる。上部扉（前面扉）４の中央には開口４ａが設けられており、この開口４ａは上部扉４の裏側に取り付けられるガラス等の透光性を有する部材により遮蔽される。なお、上部扉４が閉じている状態では、遊技の際に遊技領域２５を流下する遊技球や、遊技領域２５に設けられた構造物は、上記開口４ａを遮蔽するガラスを介して視認される。なお、符号８は、本体部材３を遊技場等に固定するための固定枠である。
【００１１】
この上部扉４の幅方向の両端縁部には、例えばＬＥＤ１０が配列された電飾基板（電気回路基板）１１，１２が配置され、これら電飾基板１１，１２は、導線（図示省略）によって接続されている。また、これら電飾基板１１，１２のうち、電飾基板１１の背面には電飾基板１１に設けられた回路端子と電気的に連通され、上部扉４の背面にて露呈するように取り付け保持される扉側コネクタ４６が設けられている（図２参照）。なお、この電飾基板１１には、ＬＥＤ用の回路の他に、スピーカ１３，１４と接続される回路が形成されており、この回路用の回路端子も扉側コネクタ４６と電気的に連通される。また、これら電飾基板１１，１２の内側であって、上部扉４の上部にはスピーカ１３，１４が配置されている。これらスピーカ１３，１４は導線（図示せず）によって、電飾基板１１に設けられたスピーカ用の回路に接続されている。なお、電飾基板１１，１２は、透光性を有し、且つ有色からなる合成樹脂から形成された飾り１６、１７に被覆され、スピーカ１３、１４は、有色からなる合成樹脂から形成されたスピーカカバー１８，１９によって被覆されている。
【００１２】
上部扉４の回動中心となるヒンジ側端縁部とは反対側の端縁部であって、上部扉４の上下方向の略中心となる箇所には、施錠装置５０を構成するキーシリンダ２０の鍵穴２１が露呈されている。このキーシリンダ２０の鍵穴２１には、解錠キー２２が挿入される。例えば、キーシリンダ２０の鍵穴２１に挿入された解錠キー２２を図１中Ａ方向に回転させると、本体部材３と上部扉４との施錠が解除され、上部扉４が開放自在となる（図２参照）。一方、解錠キー２２を図１中Ｂ方向に回転させると、本体部材３と固定枠８との施錠が解除され、本体部材３が開放自在となる（図３参照）。
【００１３】
上述したように、上部扉４の略中央には開口４ａが設けられており、パチンコ機２の内部に設けられた遊技領域２５が視認可能となっている。この遊技領域２５には、その中央にセンター役物２６と呼ばれる構造物が設けられ、そのセンター役物２６の下方に、通過チャッカー２７、始動チャッカー２８、入賞チャッカー２９、アタッカ３０等の入賞装置が設けられている。なお、これら構造物や、入賞装置については周知であるので、ここではその詳細は省略する。このような遊技領域２５を流下する遊技球は、上述した入賞装置に入賞する、或いは入賞しない場合には、アウト口３１によって回収される。
【００１４】
下部扉５には、操作ハンドル３５や、供給皿３６等が設けられている。操作ハンドル３５は、例えば回転自在に設けられており、操作ハンドル３５を回転させると、発射装置（図示省略）が操作ハンドル３５の回転量に合わせた打ち出し強さで遊技球を遊技領域２５に向けて打ち出す。
【００１５】
供給皿３６は、遊技を開始する際に遊技球が供給される他に、遊技領域２５を流下する遊技球が、遊技領域２５に設けられた入賞装置のいずれかに入賞したことを受けて払い出される賞球としての遊技球が受容される。なお、符号３７は、払出口であり、この払出口３７を介して遊技球が払い出される。この供給皿３６は送込通路３８と連通しており、この供給皿３６に受容された遊技球は送込通路３８へと転動し、送込通路３８の内部を案内される過程で１列に整列される。なお、符号３９は仕切り板であり、払出口３７から払い出された遊技球が直接送込通路３８へと転動することを防止している。
【００１６】
図２に示すように、本体部材３の上端部前面には、一端が遊技制御装置１２０（図５参照）に接続された導線の他端に備えさせた本体側コネクタ４５が露呈するように取付け保持されている。この本体側コネクタ４５は、上部扉４に組み込まれた電飾基板１１の背面に設けられた扉側コネクタ４６に嵌合される。例えば開いている上部扉４を閉じる（図２中Ｃ方向へと回動させると、この上部扉４の閉鎖回転に従って扉側コネクタ４６が本体側コネクタ４５に嵌合される。また、閉じている上部扉４を開ける（図２中Ｄ方向へと回動させる）と、この上部扉４の開放回転に従って扉側コネクタ４６と本体側コネクタ４５との嵌合が解除される。
【００１７】
図２又は図３に示すように、施錠装置５０は、本体部材３の背面であって、本体部材３の回動中心となるヒンジ側端縁部とは反対側となる端縁部に、且つ本体部材３の上下方向に沿って配設されている。この施錠装置５０は、上述した本体部材３の前面側に鍵穴２１が露呈するキーシリンダ２０の他に、第１係止爪（保持部）５１，５２、第２係止爪５３，５４、及び、キーシリンダ２０と各係止爪とを連繋させる連動板５５を備えた構成となっている。第１係止爪５１，５２は、本体部材３の上下方向に、所定の間隔を空けて設けられており、上部扉４を閉じ位置に回動させたときに、上部扉４を閉じたときに、上部扉４の背面であって、その上部及び下部にそれぞれ設けられた係合部６０，６１にそれぞれ係合される。これにより、上部扉４が開閉不能に本体部材３の前面に保持される。
【００１８】
第２係止爪５３，５４は、本体部材３の上下方向に所定の間隔を空けて設けられており、本体部材３を閉じたときに、固定枠８に組み付けられた係合片６２，６３に係合することで、本体部材３を開閉不能に閉じ位置に保持する。
【００１９】
連動板５５は、キーシリンダ２０に挿入された解錠キー２２が図１中Ａ方向、或いは図１中Ｂ方向に回転された場合に、キーシリンダ２０に設けられた伝達部材７７を介して本体部材３の上方向（図３中Ｅ方向）、或いは下方向（図３中Ｆ方向）にスライドする。このスライドの際に、第１係止爪５１，５２、或いは第２係止爪５３，５４を回動させる。例えば連動板５５が図３中Ｅ方向に移動した場合には、第２係止爪５３，５４を回動させ、第２係止爪５３と係合片６２との係合、及び第２係止爪５４と係合片６３との係合をそれぞれ解除させる。これにより、本体部材３を開閉自在に固定枠８に対して回動させることが可能となる。一方、連動板５５が図３中Ｆ方向に移動した場合には、第１係止爪５１，５２を回動させ、第１係止爪５１と係合片６２との係合、及び第１係止爪５２と係合片６３との係合をそれぞれ解除させる。これにより、上部扉４を開閉自在に回動させることが可能となる。
【００２０】
図４に示すように、キーシリンダ２０は、後述するキースイッチ８５とともに、連動板５５をスライド自在に保持するとともに、本体部材３の端縁部に設けられる保持板７０にネジ７１などにより組み付けられる。なお、符号７０ａ，７０ｂは、保持板７０に設けられたネジ孔である。このキーシリンダ２０は、上述した解錠キー２２の挿入を可能とする鍵穴２１が前面に設けられたシリンダ部７５を備えている。シリンダ部７５は、挿入された解錠キー２２を回転させたときに、挿入された解錠キー２２が正規のものである場合にのみ解錠キー２２の回転を許容する。
【００２１】
このシリンダ部７５の後面には、鍵穴２１に挿入された解錠キー２２の回転に連動する回転軸７６が設けられている。この回転軸７６の後端部には、シリンダ部７５の回転運動を連動板５５に伝達することで、連結板５５をスライドさせる伝達部材７７がカシメなどにより固着されている。また、この回転軸７６と伝達部材７７とには、その回転中心を中心軸とする円筒状の挿通孔７８、７９がそれぞれ設けられており、これら挿通孔７８，７９には、キースイッチ８５を構成するピン８６が挿入される。なお、符号８０，８１は、キースイッチ８５に対する取付片であり、また、符号８２、８３は、ネジ７１が挿通される挿通孔である。
【００２２】
キースイッチ（挿入検知手段）８５は、キーシリンダ２０の鍵穴２１に解錠キー２２が挿入されたか否かを検知するために設けられている。このキースイッチ８５は、ピン８６、コイルバネ８７、第１接触端子８８、第２接触端子８９及び保持部材９０とから構成されている。
【００２３】
ピン８６は、円柱形状から構成されている。このピン８６は、その軸方向の中央から一端側にずれた位置に円盤状の鍔部８６ａが径方向に突出するように設けられている。この鍔部８６ａを設けることで、ピン８６の一端部がシリンダ部７５の挿通孔７８に挿通される挿入部８６ｂとして機能し、その反対側の他端部が第１接触端子８８を押圧する押圧部８６ｃとして機能する。なお、鍔部８６ａと押圧部８６ｃとは、コイルバネ８７とともに、被覆板１０１に設けられた筒部１０３に収納される。なお、鍔部８６ａの径は、後述する筒部１０３に設けられた開口１０２の径よりも大きく、筒部１０３に収納されたピン８６の軸方向への移動範囲が、その鍔部８６ａと開口１０２の周縁部との当接によって規制される。
【００２４】
第１接触端子８８、第２接触端子８９は、遊技制御装置１２０からのケーブル９５，９６の一端がそれぞれ接続されている。第１接触端子８８は、その先端部が第２接触端子８９と接触しない離間方向に向けて屈折した形状から構成されている。これにより、第１接触端子８８と第２接触端子８９とが非接触となる（図４又は図６参照）。このとき、キースイッチ８５はオフ状態である。例えば解錠キー２２がキーシリンダ２０に挿入されると、上述したピン８６の挿入部８６ｂが解錠キー２２の先端によって押圧される。この押圧により、ピン８６がコイルバネ８２の付勢に抗して図７中Ｈ方向に移動し、ピン８６の押圧部８６ｃが第１接触端子８８の先端部を押圧する。これにより、第１接触端子８８と第２接触端子８９とが接触する（図７参照）。このとき、キースイッチ８５がオン状態となる。
【００２５】
保持部材９０は、複数の径の異なる筒を連通させるように組み合わせた形状から構成され、また、その一端が被覆された形状から構成される。なお、符号９７，９８はＬ字形状の取付片、また、符号９９，１００はネジ７１が挿通される挿通孔である。この保持部材９０に設けられる断面が突状で、且つ一方の面を開口し他方の面を閉口した収納空間９０ａには、第１接触端子８８、第２接触端子８９が収納される。この保持部材９０には、その収納空間９０ａの開口を被覆する被覆板１０１が組み付けられる。この被覆板１０１は、略中央に開口１０２が形成され、また、この開口１０２と同軸となるように、筒部１０３が設けられている。この筒部１０３の外周には、係止片１０５，１０６が設けられている。この筒部１０３には、ピン８６の鍔部８６ａと、押圧部８６ｃが挿通されたコイルバネ８７が収納される。
【００２６】
カバー１１０は、筒部１０３の一端部に設けられる開口を覆うように組み付けられる部材である。このカバー１１０は、その中央に挿通孔１１１が形成されており、この挿通孔１１１にピン８６の押圧部８６ｃが挿通される。また、カバーには、係止片１０５，１０６と係合する係合孔１１２，１１３を備えた構成となっている。ピン８６とコイルバネ８７とを被覆板１０１に組み付けた後、その筒部にカバーを組み付けると、コイルバネ８７の一端が鍔部８６ａに当接され、コイルバネ８７の他端がカバー１１０に当接された状態で保持される。これにより、コイルバネ８７によって、鍔部８６ａが図４中Ｇ方向に付勢され、被覆板１０１に当接された状態で保持される。なお、符号１１２、１１３は、係止片１０５，１０６と係合する係合孔である。また、このカバー１１０には、挿通孔１１１が形成されており、ピン８６の押圧部８６ｃが挿通される。
【００２７】
図５は、パチンコ機の電気的構成を示す機能ブロック図である。なお、図に示す機能ブロック図は、本発明に関わる箇所のみを示し、他の箇所については省略して示してある。パチンコ機２は、遊技制御装置１２０を備えている。この遊技制御装置１２０は、ＣＰＵ１２１、ＲＯＭ１２２、ＲＡＭ１２３を備えて構成されている。ＣＰＵ１２１は、ＲＯＭ１２２に記憶された遊技制御プログラム１２５を実行することで、制御部１２６及び状態判定部１２７として機能する。例えば制御部１２６は、遊技領域２５に設けられた入賞装置に入賞した場合に、賞球としての遊技球の払い出しを実行する、或いは移行抽選が行われたときに図柄表示装置３２における図柄の可変表示、及び抽選結果を示す停止表示を実行させる。この他に、ランプ制御装置（送信停止手段）１３０や音声制御装置（送信停止手段）１３１に、演出開始信号を出力する。これに応答して、本体部材３に組み付けられた本体側電飾１３２や、上部扉４に設けられた電飾基板１１，１２の点灯・消灯が実行される。また、音声制御装置１３１においては、本体部材３に設けられたスピーカ１３３や上部扉４に設けられたスピーカ１３，１４における演出音の再生が実行される。
【００２８】
状態判定部１２７は、第１接触端子８８と第２接触端子８９とが接触することで通電される、つまりキースイッチ８５がオン状態となったか否かを判定するために設けられている。この状態判定部１２７によってキースイッチ８５がオン状態となったことが判定されると、制御部１２６は、ランプ制御装置１３０、及び音声制御装置１３１に給電停止信号を出力する。この給電停止信号の出力後に制御部１２６は、オン状態となっている間において、ランプ制御装置１３０や音声制御装置１３１は、電飾基板１１，１２、スピーカ１３，１４への給電の停止、及び演出開始信号の出力規制を行う。なお、演出開始信号だけでなく、例えば演出が行われているときの制御信号の出力も規制されるようにしてもよい。なお、本実施形態では、キースイッチ８５がオン状態になった場合には、上部扉４側の制御装置（電飾基板）などへの給電停止、及び演出開始信号の出力規制の双方を行うようにしているが、上部扉４側の制御装置（電飾基板）への給電停止のみを行うことも可能である。
【００２９】
次に、本実施形態の作用について説明する。遊技場の島設備にパチンコ機２が配設されている状態では、パチンコ機２の本体部材３は、施錠装置５０によって固定枠８に対して閉じ状態に保持されている。また、上部扉４も、施錠装置５０によって本体部材３に対して閉じ状態に保持される。図６に示すように、この状態では、キーシリンダ２０に解錠キー２２が挿入されていないことから、キースイッチ８５はオフ状態となっている。例えば、遊技領域２５の内部に配設される障害釘の調整など、遊技盤のメンテナンスや上部扉４の交換を行う場合には、上部扉４を開き状態へと回動させることになり、遊技場の店員や作業者は、解錠キー２２をキーシリンダ２０の鍵穴２１に挿入した後、解錠キー２２を図１中Ａ方向に回転させる。例えば解錠キー２２をキーシリンダ２０に挿入すると、シリンダ部７５の内部に入り込んだピン８６の挿入部８６ｂに解錠キー２２の先端が当接される。この状態では解錠キー２２は完全にキーシリンダ２０に差し込まれていないので回転させることができない。そのため、さらに解錠キー２２をキーシリンダ２０に差し込む必要がある。
【００３０】
さらに解錠キー２２がキーシリンダ２０に差し込まれると、解錠キー２２の先端に当接されたピン８６が押圧され、コイルバネ８７の付勢に抗して図７中Ｈ方向に移動する。ピン８６が図７中Ｈ方向に移動すると、押圧部８６ｃの先端が第１接触端子８８の先端部に当接された後、第１接触端子８８の先端部を第２接触端子８９に向けて押圧する。これにより、第１接触端子８８の先端部が湾曲し、第２接触端子８９に接触する。この第１接触端子８８と、第２接触端子８９との接触により通電が行われる、つまりキースイッチ８５がオン状態となる。
【００３１】
状態判定部１２７では、キースイッチ８５がオン状態となるか否かを判定しているから、第１接触端子８８と第２接触端子８９とが接触し通電されることによって、キースイッチ８５がオン状態であると判定する。この判定を受けて、制御部１２６は、ランプ制御装置１３０と音声制御装置１３１とに給電停止信号を出力する。その後に制御部１２６は、ランプ制御装置１３０は上部扉に組み付けられた電飾基板１１，１２への給電の停止と、音声制御装置１３１は、スピーカ１３，１４への給電の停止、及び演出開始信号の出力規制を行う。これにより、制御部１２６から上部扉４側の制御装置への電気的な通信の途中で上部扉４が開放され、データの通信障害が発生するということを防止することができる。
【００３２】
遊技場の店員や作業者は、解錠キー２２をキーシリンダ２０に挿入した後、図１中Ａ方向に回転させる。このとき、施錠装置５０の第１係止爪５１と上部扉４に設けられた係合部６０との係合と、施錠装置５０の第１係止爪５２と上部扉４に設けられた係合部６１との係合とがそれぞれ解除され、上部扉４を閉じ状態から開き状態へと回動させることができる状態となる。これにより、遊技場の作業者や作業者は、上部扉４を開き状態へと回動させることになる。この上部扉４を開き状態へと回動させる過程で、本体側コネクタ４５と扉側コネクタ４６との嵌合が解除される。なお、施錠装置５０による本体部材３と上部扉４との施錠が解除された状態では、上部扉４に組み付けられた電飾基板１１，１２や、スピーカ１３，１４には給電や信号送信が行われていないことから、感電やデータの読み込み障害などが生じることがない。また、予め上部扉４の交換などの作業時にパチンコ機２の電源スイッチをオフにする必要がないため、このような交換時における作業量を少なくすることができる。
【００３３】
また、上部扉４の交換が終わった場合には、上部扉４を閉じ状態に回動させる。上部扉が閉じ状態へと回動させると、本体側コネクタ４５と扉側コネクタ４６とが嵌合された後、施錠装置５０によって上部扉４と本体部材３とが施錠される。そして、解錠キー２２をキーシリンダ２０から引き抜く。解錠キー２２をキーシリンダ２０から引き抜くことで、ピン８６がコイルバネ８７の付勢によって図４或いは図６中Ｇ方向に移動するので、第１接触端子８８と、第２接触端子８９との接触が解除される。つまり、キースイッチ８５がオフ状態となる。このとき、状態判定部１２７によってキースイッチ８５がオフ状態であることが判定されるので、ランプ制御装置１３０や音声制御装置１３１は電飾基板１１，１２やスピーカ１３，１４に対して給電を開始するとともに、演出開始信号の出力規制を解除する。これにより、電飾基板１１，１２に実装されたＬＥＤ１０の点灯・消灯制御、スピーカ１３，１４による音声の再生が可能となる。この場合、本体部材３に組み込まれる遊技制御装置１２０には、給電が行われていることから、交換作業時が終了した後でパチンコ機２の電源スイッチをオンにする場合に発生するチャタリング（オンにしているのにも関わらず、オン、オフを繰り返す状態）の発生、或いはその影響を抑えることができる。
【００３４】
本実施形態では、キースイッチによって解錠キーがキーシリンダに差し込まれたことを検知することで上部扉に対する給電を停止させるようにしているが、これに限定する必要はなく、キースイッチによってキーシリンダに差し込まれた解錠キーの回転を検知することで上部扉に対する給電の停止や、信号の出力規制を行わせることも可能である。なお、以下では、本実施形態と同一の機能を有する箇所については、本実施形態と同一の符号を付して説明する。
【００３５】
図８〜図１０に示すように、キースイッチ（回転検知手段）１４０を、コマ部材１４１、第１接触端子１４２、第２接触端子１４３，１４４及び、これら部材を保持する保持部材１４５とから構成する。コマ部材１４１は、略円盤形状をした基部１４１ａの一面から前面方向に突出する円弧状の一対の連結片１４１ｂ，１４１ｃを備えている。これら連結片１４１ｂ、１４１ｃは、キーシリンダ２０のシリンダ部７５の後面から突出する回転軸７６に固着される円盤状の伝達部材１４６に設けられた一対の円弧状の挿通孔１４６ａ，１４６ｂにそれぞれ挿通される。これにより、シリンダ部７５が回転するに従って、コマ部材１４１も連動し回転する。
【００３６】
コマ部材１４１の基部１４１ａであって、連結片１４１ｂ，１４１ｃが設けられた面とは反対側となる背面方向の面の中央には、ピン１４１ｄが突設されている。このピン１４１ｄの先端には、略菱形状のカム１４７がピン１４１ｄの軸方向と直交する方向に設けられている。このカム１４７は、コマ部材１４１の回転とともに回転し、第１接触端子１４２の接触部１５０，１５１に当接し、これら接触部１５０，１５１を外側に、離間して設けられた第２接触端子１４３，１４４に向けてそれぞれ押圧する。この押圧によって、第１接触端子１４２が外側に向かって変形し、第２接触端子１４３，１４４と接触する。
【００３７】
第１接触端子１４２は、保持部材１４５に設けられた絶縁体の支持片１５２にて保持される略Ｕ字形状から構成され、その両端部１５０，１５１が略平行となるように形成されている。この両端部の間に、カム１４７が位置する。これら両端部１５０，１５１（以下、接触部１５０，１５１と称す）は、回転するカム１４７によって押圧されることで、外側に向かって変形し第２接触端子１４３，１４４とそれぞれ接触する。なお、これら接触部１５０，１５１の先端は、第２接触端子１４３，１４４に向けて突出する円弧状から形成される。このように接触部１５０，１５１の先端を第２接触端子１４３，１４４に向けて突出する円弧状とすることで、第１接触端子１４２の接触部１５０，１５１と、第２接触端子１４３，１４４とを確実に接触させることができる。
【００３８】
第２接触端子１４３，１４４は、それぞれ遊技制御装置１２０に接続されたケーブル１５３，１５４の一端がそれぞれ固着されている。第２接触端子１４３は、第１接触端子１４２の接触部１５０よりも外側に、第２接触端子１４４は、第１接触端子１４２の接触部１５１よりも外側に、離間するようにそれぞれ設けられている。
【００３９】
例えば上部扉４の交換時において、施錠装置５０による上部扉４と本体部材３との施錠を解除する場合に、解錠キー２２をキーシリンダ２０の鍵穴２１から挿入した後、解錠キー２２を図９中Ｒ方向に回転させる。図９に示すように、解錠キー２２を差し込む前後では、カム１４７は、その長辺方向が、第１接触端子１４２の接触部１５０，１５１、或いは第２接触端子１４３，１４４と平行となるように位置しているため、第１接触端子１４２と、第２接触端子１４３，１４４とは接触されていない。つまり、キースイッチ１４０はオフ状態となっている。
【００４０】
解錠キー２２を回転させると、キーシリンダ２０のシリンダ部７５と、シリンダ部７５の回転軸７６に固着された伝達部材１４６がシリンダ部７５とともに回転する。伝達部材１４６に設けられた挿通孔１４６ａ，１４６ｂには、コマ部材１４１の連結片１４１ｂ，１４１ｃがそれぞれ挿入されていることから、伝達部材１４６の図９中Ｒ方向の回転に合わせて、コマ部材１４１も、同一方向に回転する。このコマ部材１４１の図９中Ｒ方向の回転によってカム１４７の長辺方向のそれぞれの端部が第２接触端子１４３，１４４に向かって変化し、第１接触端子１４２の接触部１５０，１５１の隙間よりも長くなるので、カム１４７が第１接触端子１４２の接触部１５０，１５１にそれぞれ当接され、第１接触端子１４２の接触部１５０を図９中Ｓ方向に、第１接触端子１４２の接触部１５１を図９中Ｔ方向に押圧する。カム１４７の押圧により、接触部１５０の先端が第２接触端子１４３に、接触部１５１が第２接触端子１４４にそれぞれ接触する（図１０参照）。これにより、第１接触端子１４２が第２接触端子１４３，１４４と接触された状態となり、通電が行われる。つまり、キースイッチ１４０がオン状態となる。この解錠キーの回転操作時に、第１係止爪５１と係合片６０との係合、及び第１係止爪５２と係合片６１との係合がそれぞれ解除される。
【００４１】
状態判定部１２７では、キースイッチ１４０がオン状態となるか否かを判定しているから、第１接触端子１４２が第２接触端子１４３，１４４と接触し通電されることによって、キースイッチ１４０がオン状態であると判定する。この判定を受けて、制御部１２６は、ランプ制御装置１３０と音声制御装置１３１とに給電停止信号を出力する。その後、制御部１２６は、ランプ制御装置１３０は上部扉４に組み付けられた電飾基板１１，１２への給電を停止し、音声制御装置１３１は、スピーカ１３，１４への給電の停止、及び演出開始信号の出力規制を行う。これにより、解錠キー２２の挿入だけでなく、解錠キー２２の回転を検知することで、上部扉４に組み付けられた基板や電気部品への給電の停止や、信号の出力規制を行うことが可能となる。
【００４２】
なお、解錠キー２２の回転動作を検知するキースイッチ１４０の場合、第１接触端子１４２の形状は略Ｕ字形状に限定されるものではなく、板状としても良い。第１接触端子を板状とした場合、第１接触端子と第２接触端子のそれぞれに、遊技制御装置からのケーブルの一端をハンダなどにより固着させる必要がある。
【００４３】
また、詳細は記載しないが、キースイッチの形態としては、解錠キーの挿入を検知する、或いは解錠キーの回転動作を検知するだけでなく、これらを組み合わせたキースイッチの形態としてもよい。
【００４４】
本実施形態では、本体側コネクタと扉側コネクタとの接続については、その詳細を触れていないが、上部扉を閉じたときにこれらコネクタの嵌合を良好とするために、扉側コネクタ、或いは本体側コネクタのいずれか一方を、他方に向けてバネ付勢させることも可能である。
【００４５】
図１１に示すように、パチンコ機１６０の本体部材１６１の背面側に、コイルバネ１６２が収納されるバネ収納部１６３と、本体側コネクタ１６４及びコネクタ基板１６５を収納するコネクタ収納部１６６とを設け、これら収納部１６３，１６６を仕切る仕切壁１６７にコイルバネ１６２が挿通可能な開口１６８を設ける。また、コネクタ収納部１６６の前壁１６９に本体側コネクタ１６４及び扉側コネクタが挿通可能な開口１７０を設ける。これにより、本体側コネクタ１６４は、コイルバネ１６２によって図１１中Ｖ方向に付勢され、コネクタ基板１６５がコネクタ収納部１６６の前壁１６９に当接された状態で保持される。これにより、上部扉１７１を閉じる際には、電飾基板１７２に組み付けられた扉側コネクタ１７３が嵌合し易くなる。なお、図１１において、符号１７５は遊技盤であり、符号１７６は、上部扉１７１に設けられた開口１７１ａを上部扉１７１の背面から被覆するガラス枠ユニットである。また、符号１７７は下部扉、符号１７８は供給皿である。また、符号１７９は、パチンコ機を遊技場の島設備に固定する固定枠である。
【図面の簡単な説明】
【００４６】
【図１】本発明のパチンコ機の外観を示す斜視図である。
【図２】上部扉を開けた状態を示す斜視図である。
【図３】パチンコ機を固定枠に対して回動させた状態を示す斜視図である。
【図４】キーシリンダと、キースイッチの構成とを分解して示す断面図である。
【図５】パチンコ機の電気的構成を示す機能ブロック図である。
【図６】解錠キーを差し込む前のキーシリンダ及びキースイッチを示す断面図である。
【図７】解錠キーを差し込んだときのキーシリンダ及びキースイッチを示す断面図である。
【図８】解錠キーの回転動作を検知する場合のキーシリンダ及びキースイッチの構成を示す断面図である。
【図９】図８に示すＸ−Ｘ’断面であって、キースイッチがオフ状態のときの第１接触端子と、第２接触端子との状態を示す断面図である。
【図１０】図８に示すＸ−Ｘ’断面であって、キースイッチがオン状態のときの第１接触端子と、第２接触端子との状態を示す断面図である。
【図１１】本体側コネクタをバネ付勢させることによって、本体側コネクタと扉側コネクタとを嵌合させる形態を示す断面図である。
【符号の説明】
【００４７】
２  パチンコ機（遊技機）
３  本体部材（遊技機本体）
４  上部扉（前面扉）
１１，１２  電飾基板（電気回路基板）
２０  キーシリンダ
２２  解錠キー
４５  本体側コネクタ
４６  扉側コネクタ
５０  施錠装置
５１、５２  第１係止爪（保持部）
８５  キースイッチ（挿入検知手段）
１２０  遊技制御装置
１３０  ランプ制御装置（送信停止手段）
１３１  音声制御装置（送信停止手段）
７７，１４６  伝達部材
１４０  キースイッチ（回転検知手段）
【図１】
2008000412.tif 000003
【図２】
2008000412.tif 000004
【図３】
2008000412.tif 000005
【図４】
2008000412.tif 000006
【図５】
2008000412.tif 000007
【図６】
2008000412.tif 000008
【図７】
2008000412.tif 000009
【図８】
2008000412.tif 000010
【図９】
2008000412.tif 000011
【図１０】
2008000412.tif 000012
【図１１】
2008000412.tif 000013